(57)【特許請求の範囲】
【請求項１】
開口部が形成された筐体と、
前記筐体内部に設けられる基板と、
前記基板に環状に配置された複数の押圧スイッチと、
前記複数の押圧スイッチに対向して突出し、それぞれの押圧スイッチを押圧する複数の押し子を第１の面に有するキーシートと、
前記筐体の開口部から露出するよう、前記キーシートの前記第１の面の反対側の第２の面に配置され、前記複数の押圧スイッチのいずれかに対応する位置を押圧することにより、前記押し子を介して当該押圧スイッチを押圧可能な多方向キートップと、を備え、
前記多方向キートップは、前記複数の押圧スイッチのうち隣接する押圧スイッチ間に対応する位置にて前記キーシートに接合され、
前記キーシートは、前記第１の面において前記複数の押圧スイッチのうち隣接する押圧スイッチ間の少なくとも一箇所に対応する部分が前記基板から離間して配置されると共に、当該部分に凹部が形成され、
前記基板には、前記凹部に対向する位置に発光素子が配置され、
前記発光素子の前記基板からの高さは、前記凹部の前記第１の面からの深さよりも低いことを特徴とする電子機器。
【請求項２】
前記キーシートは、前記第２の面において前記複数の押し子に対応する位置から突出する複数の第１凸部と、前記第２の面において前記複数の押圧スイッチのうち隣接する押圧スイッチ間それぞれに対応する位置から突出する第２凸部と、を備え、
前記複数の第１凸部および前記第２凸部は、互いに独立して設けられ、
前記多方向キートップは、前記複数の第１凸部及び第２凸部にて前記キーシートに接合され、
前記凹部は、前記キーシートの前記第１の面において前記第２凸部に対応する部分に形成されることを特徴とする請求項１に記載の電子機器。
【請求項３】
前記キーシートは、前記発光素子からの光を透過可能な材質にて形成されていることを特徴とする請求項１又は請求項２に記載の電子機器。
【請求項４】
前記キーシートと前記多方向キートップとの間に配置され、前記キーシートよりも硬質の材料で形成されるインナーフレームを備え、
前記インナーフレームには、前記複数の第１凸部及び第２凸部の貫通する第２開口部が形成され、
前記第１凸部及び第２凸部は、前記インナーフレームよりも前記多方向キートップ側に突出し、それぞれの頂面にて前記多方向キートップが接合され、
前記多方向キートップは、前記第２開口部よりも大きい面積を有することを特徴とする請求項２に記載の電子機器。
【請求項５】
前記多方向キートップに隣接する押圧キートップをさらに備え、
前記キーシートは、前記押圧キートップに対応する位置に押し子と第３凸部を有し、
前記インナーフレームには、前記第３凸部の貫通する第３開口部が形成され、
前記第３凸部は、前記インナーフレームよりも前記多方向キートップ側に突出し、頂面にて前記押圧キートップが接合されることを特徴とする請求項４に記載の電子機器。
【発明の詳細な説明】
【技術分野】
【０００１】
本発明は、多方向キートップを有する電子機器に関する。
【背景技術】
【０００２】
複数のスイッチを選択的に押下できる多方向キートップ（多方向キー）に関する技術が種々提案されている（例えば特許文献１）。また、多方向キーを備えた携帯電話機も知られている。多方向キーを備えた携帯電話機の筐体の一例を図９（ａ）に示す。送話筐体５０１は、２つの筐体が連結される折り畳み式の携帯電話機の一方の筐体であり、多方向キー５０２を備えている。
【０００３】
図９（ｂ）は、図９（ａ）のＶＩＩ−ＶＩＩ線矢視方向における多方向キー５０２付近の断面図である。送話筐体５０１では、不図示のシールドケース上にフレキシブルプリント配線板（ＦＰＣ）５０４が載置され、ＦＰＣ５０４には、複数の押圧スイッチ５０５Ｒ、５０５Ｌ、５０５Ｃが配置されている。ＦＰＣ５０４の上には、シリコンゴム等により形成されたキーシート５０６が配置され、その上に多方向キー５０２が配置されている。
【０００４】
矢印ｙ１で示すように、多方向キー５０２の右方部５０２Ｒを押下すると、キーシート５０６を介して押圧スイッチ５０５Ｒがオンされる。この際、キーシート５０６の弾性変形の影響を受けて多方向キー５０２は傾き、多方向キー５０２の左方部５０２Ｌは、上方に浮き上がろうとする。
【０００５】
図９（ｃ）は、図９（ｂ）の領域Ｃ１の拡大図であり、図９（ｄ）は、図９（ｂ）の領域Ｃ２の拡大図である。多方向キー５０２の周囲には、フランジ部５０２ｆが形成されている。図９（ｃ）に示すように、フランジ部５０２ｆが送話筐体５０１の開口縁部５０１ａに係合することにより、押下された部分と反対側の左方部５０２Ｌは、所定量以上の浮き上がりが防止されている。なお、図９（ｄ）に示すように、押下された右方部５０２Ｒにおいては、フランジ部５０２ｆと送話筐体５０１の開口縁部５０１ａとの距離が大きくなる。
【特許文献１】特開２００２−３１３１８８号公報
【発明の開示】
【発明が解決しようとする課題】
【０００６】
しかし、例えば、多方向キーに隣接するファンクションキー等を筐体の一の開口部から多方向キーと共に露出させ、多方向キーの周囲が筐体の開口縁部により囲まれないようにした場合、多方向キーのフランジと、筐体の開口縁部とを係合させることができず、押下された部分と反対側の部分が浮き上がってしまう。特に、多方向キーの対角線上の位置Ｐ５１０（図９（ａ））を押下するとき、いわゆる斜め押しするときには、押下位置に押圧スイッチや押圧スイッチを支持するキーシートの凸部がないために、多方向キーの傾きが大きくなり、浮き上がりが大きくなってしまう。
【０００７】
本発明の目的は、多方向キートップを斜め押ししたときの浮き上がりを防止できる電子機器を提供することにある。
【課題を解決するための手段】
【０００８】
本発明の電子機器は、開口部が形成された筐体と、前記筐体内部に設けられる基板と、前記基板に環状に配置された複数の押圧スイッチと、前記複数の押圧スイッチに対向して突出し、それぞれの押圧スイッチを押圧する複数の押し子を第１の面に有するキーシートと、前記筐体の開口部から露出するよう、前記キーシートの前記第１の面の反対側の第２の面に配置され、前記複数の押圧スイッチのいずれかに対応する位置を押圧することにより、前記押し子を介して当該押圧スイッチを押圧可能な多方向キートップと、を備え、前記多方向キートップは、前記複数の押圧スイッチのうち隣接する押圧スイッチ間に対応する位置にて前記キーシートに接合され、前記キーシートは、前記第１の面において前記複数の押圧スイッチのうち隣接する押圧スイッチ間の少なくとも一箇所に対応する部分が前記基板から離間して配置されると共に、当該部分に凹部が形成され、前記基板には、前記凹部に対向する位置に発光素子が配置され、前記発光素子の前記基板からの高さは、前記凹部の前記第１の面からの深さよりも低い。
【０００９】
好適には、前記キーシートは、前記第２の面において前記複数の押し子に対応する位置から突出する複数の第１凸部と、前記第２の面において前記複数の押圧スイッチのうち隣接する押圧スイッチ間それぞれに対応する位置から突出する第２凸部と、を備え、前記複数の第１凸部および前記第２凸部は、互いに独立して設けられ、前記多方向キートップは、前記複数の第１凸部及び第２凸部にて前記キーシートに接合され、前記凹部は、前記キーシートの前記第１の面において前記第２凸部に対応する部分に形成される。
【００１０】
好適には、前記キーシートは、前記発光素子からの光を透過可能な材質にて形成されている。
【００１１】
好適には、前記キーシートと前記多方向キートップとの間に配置され、前記キーシートよりも硬質の材料で形成されるインナーフレームを備え、前記インナーフレームには、前記複数の第１凸部及び第２凸部の貫通する第２開口部が形成され、前記第１凸部及び第２凸部は、前記インナーフレームよりも前記多方向キートップ側に突出し、それぞれの頂面にて前記多方向キートップが接合され、前記多方向キートップは、前記第２開口部よりも大きい面積を有する。
【００１２】
好適には、前記多方向キートップに隣接する押圧キートップをさらに備え、前記キーシートは、前記押圧キートップに対応する位置に押し子と第３凸部を有し、前記インナーフレームには、前記第３凸部の貫通する第３開口部が形成され、前記第３凸部は、前記インナーフレームよりも前記多方向キートップ側に突出し、頂面にて前記押圧キートップが接合される。
【発明の効果】
【００１３】
本発明の電子機器によれば、多方向キーを斜め押ししたときの浮き上がりを防止できる。
【発明を実施するための最良の形態】
【００１４】
（第１の実施形態）
図１及び図２は、本発明の第１の実施形態に係る携帯電話機１を示す外観斜視図である。携帯電話機１はいわゆる折り畳み式の携帯電話機として構成されており、図１は開状態を、図２（ａ）及び図２（ｂ）は閉状態をそれぞれ示している。
【００１５】
携帯電話機１は、受話筐体２と、送話筐体３とを備えている。受話筐体２及び送話筐体３は、それぞれの端部が連結部４により連結されており、携帯電話機１は、連結部４側を回動の中心として開閉可能である。受話筐体２及び送話筐体３は、それぞれ概ね薄型直方体に形成されており、閉状態では互いに重ね合わされ、一方の筐体側から他方の筐体側を見たときに互いの輪郭が略一致するようになっている。
【００１６】
受話筐体２は、閉状態で送話筐体３に対向する面側の正面側ケース６と、その背面側の背面側ケース７とを備えている。正面側ケース６及び背面側ケース７は、例えば樹脂によりそれぞれ成形されている。受話筐体２の正面側ケース６には、通話用のスピーカの放音口１３が開口している。
【００１７】
受話筐体２には、正面に画像を表示するメイン表示部１１と、背面に画像を表示するサブ表示部１２とが設けられている。メイン表示部１１及びサブ表示部１２は、例えば液晶表示ディスプレイによって構成されている。
【００１８】
送話筐体３は、閉状態で受話筐体２に対向する面側の正面側ケース８と、その背面側の背面側ケース９と、背面側ケース９の背面側に被せられる蓋体１０とを備えている。正面側ケース８、背面側ケース９及び蓋体１０は、例えば樹脂によりそれぞれ成形されている。送話筐体３の正面側ケース８には通話用のマイクの集音口１８が開口し、蓋体１０には報知用スピーカの放音口１９が開口している。
【００１９】
送話筐体３には、ユーザの操作を受け付ける操作部１７が設けられている。操作部１７は、例えば多方向キー（多方向キートップ）５１、決定キー（押圧キートップ）５２、ダイヤルキー（押圧キートップ）５３、ファンクションキー（押圧キートップ）５４を備えており、これらの各種キーは正面側ケース８より露出している。なお、以下では、操作部１７の説明において、受話筐体２を上側に、送話筐体３を下側にして操作部１７を正面から見たときの上下左右を、操作部１７の上下左右として説明することがある。
【００２０】
図３は、送話筐体３内部の概略構成を示す分解斜視図である。送話筐体３においては、正面側ケース８、キーアセンブリ２１、基板アセンブリ２２、背面側ケース９、蓋体１０の順に積層される。キーアセンブリ２１及び基板アセンブリ２２は、正面側ケース８と背面側ケース９とをねじ等により互いに固定することにより、正面側ケース８及び背面側ケース９に挟まれて固定される。なお、正面側ケース８や背面側ケース９には、キーアセンブリ２１や基板アセンブリ２２を位置決めするための不図示のボス等が設けられている。
【００２１】
基板アセンブリ２２は、基板２６と、基板２６のキーアセンブリ２１側に被せられるシールドケース２７と、シールドケース２７上に配置されるフレキシブルプリント配線板（ＦＰＣ）２８とを備えている。シールドケース２７は、基板２６に設けられた高周波回路等をシールドしている。ＦＰＣ２８は、キーアセンブリ２１側に、複数の押圧スイッチ３１と、複数のＬＥＤ（発光素子）３２とを備えている。
【００２２】
押圧スイッチ３１は、多方向キー５１の上下左右に対応して４個、決定キー５２に対応して１個、１個のダイヤルキー５３に対応して１個（合計１５個）、１個のファンクションキー５４に対応して１個（合計４個）配置されている（以下では、押圧スイッチ３１にＲ、Ｆ等の記号を付加して説明することがある。）。
【００２３】
図３では、多方向キー５１に対応する４個の押圧スイッチ３１は、右方に対応する押圧スイッチ３１Ｒのみ図示され、他の押圧スイッチはキーアセンブリ２１に隠れて不図示であるが、後述する図５の台座部３８の配置位置から理解されるように、４個の押圧スイッチは上下左右に配置されている。換言すれば、多方向キー５１に対応する４個の押圧スイッチ３１は、環状に配置されている。多方向キー５１に対応する４個の押圧スイッチ３１は、多方向キー５１の押下により、１個〜４個が選択的にオンされる。なお、いわゆる斜め押しをした場合には、その両側の２個の押圧スイッチ３１がオンされる。ＬＥＤ３２は、複数の押圧スイッチ３１の４隅側等に設けられている。
【００２４】
図４（ａ）は、筐体外部側から見たキーアセンブリ２１の斜視図、図４（ｂ）は、筐体内部側から見たキーアセンブリ２１の斜視図、図５は、キーアセンブリ２１の分解斜視図である。
【００２５】
キーアセンブリ２１は、シート部２４（ベースラバー３５）の第２の面Ｓ２上に、各種キー５１〜５４が接合されて構成されている。シート部２４は、ベースラバー（キーシート）３５と、補強部材３６とが接合されて構成されている。
【００２６】
各種キー５１〜５４は、例えばＡＢＳ樹脂などの硬質の材質により形成され、決定キー５２、ダイヤルキー５３及びファンクションキー５４は透光性を有している。すなわち、ＬＥＤ３２からの光を透過可能な材質にて構成されている。なお、多方向キー５１も透光性を有していてもよい。各種キー５１〜５４は、互いに隣接して配置され、具体的には、多方向キー５１の中央の開口部５１ａに決定キー５２が配置され、多方向キー５１の左右に２つずつファンクションキー５４が隣接し、多方向キー５１及びファンクションキー５４の下方にはダイヤルキー５３が隣接している。各種キー５１〜５４は、互いの縁部の形状が一致するように形成されており、各種キー５１〜５４間の隙間は比較的小さい。
【００２７】
そして、各種キー５１〜５４は、図１及び図３に示すように、正面側ケース８に設けられた開口部８ａから共に露出する。従って、多方向キー５１は、左右方向及び下方においては、他のキーに囲まれるため、フランジ（図９のフランジ部５０２ｆ参照）を設けたとしても、正面側ケース８に係合することができず、フランジ部によっては浮き上がりを防止することはできない。
【００２８】
図４及び図５に示すように、ベースラバー３５は、例えば透光性を有するシリコンゴムなどの軟質の材質により形成されている。すなわち、ＬＥＤ３２からの光を透過可能な材質にて構成されている。ベースラバー３５は、図５に示すように、概ね矩形のシート状に形成され、各種キー５１〜５４に対応する位置に、換言すれば、押圧スイッチ３１に対応する位置に、各種キー５１〜５４側へ突出する台座部３８〜４２が複数設けられている。
【００２９】
具体的には、多方向キー５１の上下左右に対応する位置に４個の台座部３８が、多方向キー５１の対角線上の位置、換言すれば、多方向キー５１の上下左右に対応する４個の押圧スイッチ３１のうち隣接する押圧スイッチ間に対応する位置（台座部３８の配置方向の間の方向上の位置）に４個の台座部３９が、決定キー５２に対応する位置に台座部４０が、ダイヤルキー５３に対応する位置に台座部４１が、ファンクションキー５４に対応する位置に台座部４２が設けられている。なお、台座部３８は第１凸部の一例であり、台座部３９は第２凸部の一例であり、台座部４１、４２はそれぞれ第３凸部の一例である。
【００３０】
台座部３８〜４２の各種キー５１〜５４側への突出量は互いに略同一である。また、台座部３８及び台座部３９の大きさは、例えば、多方向キー５１の面積を台座部の数で割った（８等分した）広さの５割〜９割である。
【００３１】
図４及び図５に示すように、台座部３８〜４２は、各種キー５１〜５４側へ突出するとともに補強部材３６側を窪ませるように形成されており、また、その厚さは台座部以外の部分よりも厚く形成されている（図６も参照）。
【００３２】
ダイヤルキー５３に対応する台座部４１、及び、ファンクションキー５４に対応する台座部４２は、突出側の形状と、窪み側の形状は略同じである。また、窪み側の略中央には、補強部材３６側に突出し、押圧スイッチ３１に当接する押し子４４が形成されている。すなわち、シート部２４（ベースラバー３５）の第１の面Ｓ１には、押圧スイッチ３１を押圧する押し子４４が形成されている。
【００３３】
多方向キー５１に対応する台座部３８及び３９、並びに、決定キー５２に対応する台座部４０においては、これらの台座部３８〜４０に亘る広さの凹部４３（図４（ｂ））が補強部材３６側に形成されている。凹部４３には、台座部３８及び台座部４０の略中央となる位置に、補強部材３６側に突出し、押圧スイッチ３１に当接する押し子４４が形成されている。すなわち、シート部２４（ベースラバー３５）の第１の面Ｓ１には、押圧スイッチ３１を押圧する押し子４４が形成されている。また、凹部４３には、台座部３９の配置位置に補強部材３６側を凹とする凹部４５が設けられている。
【００３４】
各種キー５１〜５４は、台座部３８〜４２に対して接合される。接合は例えば接着剤により行われる。多方向キー５１は、４個の台座部３８に接合されるとともに、４個の台座部３９にも接合される。
【００３５】
なお、台座部４１の４隅側等には、ＬＥＤ３２を収納するための複数の凹部４６（図４（ｂ））が設けられている。また、ベースラバー３５の外周には、基板アセンブリ２２に螺合される不図示のねじを挿通するための貫通孔４７や、背面側ケース９のネジボス等に嵌合する切り欠き部４８が設けられている。
【００３６】
補強部材３６は、例えばポリカーボネート等の硬質の樹脂等により形成され、略矩形のシート状である。補強部材３６には、台座部３８〜４２の補強部材側の窪み（凹部４３含む）や凹部４６と略同一形状の開口部４９が形成されている。補強部材３６は、例えば接着剤によりベースラバー３５に接合される。なお、補強部材３６は省略してもよい。
【００３７】
図６は、図１のＶＩ−ＶＩ線矢視方向における断面図である。上述のように、ＦＰＣ２８上にシート部２４が載置され、シート部２４上には、多方向キー５１、決定キー５２、ファンクションキー５４等が接合されている。押圧スイッチ３１には押し子４４が当接又は所定の微小隙間で対向し、各種キー５１〜５４を押下することにより、押し子４４を介して押圧スイッチ３１をオンすることができる。
【００３８】
ＦＰＣ２８には、凹部４５に対向する位置にＬＥＤ３２が配置されている。ＬＥＤ３２の幅は凹部４５の径よりも小さく、ＬＥＤ３２のＦＰＣ２８からの高さは凹部４５の深さと同等以下である。従って、台座部３９がＦＰＣ２８に当接するまで多方向キー５１が押下されると、ＬＥＤ３２は凹部４５内に収納される。
【００３９】
凹部４５に対向する位置には、この他に、シールドケース２７等に設けられ、ＦＰＣ２８の不図示の位置決め孔に挿通されて、ＦＰＣ２８を位置決めする凸部６１や、ＦＰＣ２８の電子回路に適宜に組み込まれるチップ抵抗６２等が配置される。凸部６１やチップ抵抗６２も、ＬＥＤ３２と同様に、凹部４５に収納可能な大きさである。なお、凹部４５は４つの台座部３９のうち一部の台座部３９のみに設けてもよいし、また、ＬＥＤ３２等は凹部４５に少なくとも一部が納まればよい。
【００４０】
以上の実施形態によれば、多方向キー５１は、対角線上において、換言すれば、上下左右の４個の押圧スイッチ３１のうち隣接する押圧スイッチ間に対応する位置において、シート部２４に対して接合されているから、多方向キーが斜め押しされた場合、浮き上がりに対する抵抗力がシート部２４から付与され、浮き上がりが抑制される。従って、従来のように多方向キーの周囲にフランジを設けなくても浮き上がりを防止することができ、その結果、例えば、多方向キーと、多方向キーに隣接するファンクションキー５４等とを一の開口部８ａから露出させることができる。
【００４１】
多方向キー５１は略四角形であり、押し子の設けられない四隅（つまり斜め方向の端部）が、鋭角形状になっており、斜め押下された際の逆側の浮き上がりが目立ってしまうところだが、今回の発明により、フランジが設けられないような隣接キーに囲まれた形状であっても、浮き上がりを極力防止できる。
【００４２】
多方向キー５１の上下左右を、多方向キー５１側に突出する台座部３８に接合することが従来行われているが、このような多方向キーにおいて、台座部３８と同様に突出する台座部３９を対角線上に設け、多方向キー５１を台座部３９に接合することにより、斜め押しした位置に台座部がないことによって多方向キーが大きく傾くことを防止でき、さらには、上下左右への押下と同様の反力やストロークを斜め押しにおいて得ることができる。
【００４３】
台座部３９の凹部に対向する位置にＬＥＤ３２を配置したことから、決定キー５２やファンクションキー５４を多方向キー５１側から照明することができる。従って、多方向キーの非配置位置からのみ照明していた従来に比較して、より明るく、より均等に照明できる。
【００４４】
（第２の実施形態）
第２の実施形態は、キーアセンブリの構成が第１の実施形態のキーアセンブリ２１の構成と異なる。図７は、第２の実施形態に係る携帯電話機における、キーアセンブリ１２１を示す分解斜視図である。また、図８は、図１のＶＩ−ＶＩ線における断面図、すなわち、第１の実施形態の図６に対応する断面図である。なお、第１の実施形態と同様の構成については第１の実施形態と同一符号を付す。
【００４５】
図７に示すように、キーアセンブリ１２１は、ベースラバー３４の第２の面Ｓ２上に、インナーフレーム１０１、光拡散シート１０２、各種キー５１〜５４が積層されて構成されている。なお、第１の実施形態における補強部材４９は省略されている。
【００４６】
インナーフレーム１０１は、ベースラバー３４よりも硬質の材料で形成されている。例えば、ベースラバー３４がシリコンゴムにより形成されているのに対し、インナーフレーム１０１は、ポリカーボネイト等の樹脂により形成されている。また、インナーフレーム１０１は、ＬＥＤ３２からの光を透過可能な材質により形成されている。
【００４７】
インナーフレーム１０１には、台座部３８、台座部３９及び台座部４０が貫通する開口部（第２の開口部）１０４と、台座部４１が貫通する開口部（第３の開口部）１０５と、台座部４２が貫通する開口部（第３の開口部）１０６とが形成されている。開口部１０４は、例えば略矩形に形成され、その面積は多方向キー５１の面積よりも小さい。
【００４８】
光拡散シート１０２は、例えば、光を透過可能な樹脂等に乳白色の光拡散物質が混入されて形成されており、光拡散シート１０２を透過する光を拡散可能である。光拡散シート１０２は、例えば平面視においてインナーフレーム１０１と同様の形状に形成されるとともに、インナーフレーム１０１よりも薄く形成されている。
【００４９】
図８に示すように、台座部３８〜台座部４２は（図８では台座部３９及び台座部４０のみ図示）、インナーフレーム１０１及び光拡散シート１０２の厚さよりも突出しており、頂面に各種キー５１〜５４（図８では多方向キー５１及び決定キー５２のみ図示）が接合される。
【００５０】
なお、ベースラバー３４、インナーフレーム１０１、光拡散シート１０２は、互いに接着剤等により接合されている。ただし、ベースフレーム３４と、インナーフレーム１０１との接合は、ベースラバー３４とＦＰＣ２８とが当接する部分（図８の領域Ａ１参照）においてなされ、当該部分と台座部３８〜４２との間における、ＦＰＣ２８から離間している部分（図８の領域Ａ２参照）においては接合されていない。台座部３８〜４２の上下動を妨げないためである。
【００５１】
以上の第２の実施形態によれば、第１の実施形態と同様の効果が得られる。さらに、ベースラバー３４よりも硬質のインナーフレーム１０１を多方向キー５１等との間に設けたことから、ベースラバー３４のキートップ側への浮き上がりが抑止される。
【００５２】
本発明は、以上の実施形態に限定されず、種々の態様で実施してよい。
【００５３】
本発明が適用される電子機器は、多方向キートップを有するものであればよく、携帯電話機に限定されない。本発明は、ノートパソコンやＰＤＡ等の携帯端末装置の他、産業用機械の操作パネルや自動車の操作パネル等、種々の電子機器に利用できる。
【００５４】
多方向キーは、複数の押圧スイッチを選択的に押圧することができればよく、上下左右の４つに押圧スイッチが配置された４方向キーに限定されない。例えば３方向キーや５方向キーであってもよい。
【００５５】
多方向キーは、押圧スイッチの配置方向の間となる全方向において接合される必要はなく、斜め押しにより浮き上がる可能性がある方向において接合されていればよい。また、多方向キーの少なくとも一部に筐体と係合して浮き上がりを防止するためのフランジが設けられていてもよい。例えば、実施形態の多方向キー５１において、上方側にはフランジを設けて正面側ケース８と係合させて浮き上がりを防止し、下方側（右下、左下）においてはキーシートに接合して浮き上がりを防止してもよい。
【図面の簡単な説明】
【００５６】
【図１】本発明の第１の実施形態の携帯電話機を開状態で示す外観斜視図。
【図２】図１の携帯電話機を閉状態で示す外観斜視図。
【図３】図１の携帯電話機の送話筐体内部の概略構成を示す分解斜視図。
【図４】図３のキーアセンブリを示す斜視図。
【図５】図３のキーアセンブリの分解斜視図。
【図６】図１のＶＩ−ＶＩ線矢視方向における断面図。
【図７】本発明の第２の実施形態に係るキーアセンブリの分解斜視図。
【図８】本発明の第２の実施形態における、図１のＶＩ−ＶＩ線矢視方向における断面図。
【図９】従来の多方向キーを備えた携帯電話機を説明する図。
【符号の説明】
【００５７】
１…携帯電話機（電子機器）、３…送話筐体、８ａ…開口部、２６…基板、３１…押圧スイッチ、３５…ベースラバー（キーシート）、４４…押し子、５１…多方向キー（多方向キートップ）、Ｓ１…第１の面、Ｓ２…第２の面。
【図１】
0004647452.tif 000002
【図２】
0004647452.tif 000003
【図３】
0004647452.tif 000004
【図４】
0004647452.tif 000005
【図５】
0004647452.tif 000006
【図６】
0004647452.tif 000007
【図７】
0004647452.tif 000008
【図８】
0004647452.tif 000009
【図９】
0004647452.tif 000010